(57)【要約】      （修正有）【課題】抜糸を引くと、トメの編目と先の編地の編目との間で、抜糸が直線状になり、抜糸を簡単に抜くことができる編成方法を提供する。【解決手段】少なくとも前後２枚の針床を備える横編機上で、抜糸２０の編目２１列に続いてトメ３０の編目３１列を編成する。抜糸の編目列を編成した後、抜糸の編目列を歯口を挟んで対向する側の針床へ目移しし、次いで、抜糸とは異なる糸により、トメの編目列を抜糸の編目列に続けて編成し、抜糸の編目とトメの編目とで、編目の表裏を逆にする。【選択図】図１
2015063765.tif 000002
【特許請求の範囲】
【請求項１】
少なくとも前後２枚の針床が歯口を挟むように対向している横編機上で、抜糸の編目列に続いてトメの編目列を編成する編出し方法において、
先の編地を編成するステップと、
先の編地の編目列に続けて、抜糸の編目列を編成する抜糸編成ステップと、
抜糸の編目列を歯口を挟んで対向する側の針床へ目移しするステップと、
抜糸の編目列に続けて、抜糸とは異なる糸によりトメの編目列を編成するトメ編成ステップと、
トメの編目列に続けて本編地を編成するステップ、
とを行い、  
目移しした抜糸の編目列に続けてトメの編目列を編成することにより、抜糸の編目とトメの編目とで編目の表裏を逆にし、抜糸を引くと、トメの編目と先の編地の編目との間で、抜糸が直線状になるようにする、ことを特徴とする横編機での編出し方法。
【請求項２】
前記抜糸編成ステップでは、抜糸の編目列を、複数の編成コースに分けて、編目の形成位置を変えながら編成する、ことを特徴とする請求項１の横編機での編出し方法。
【請求項３】
筒状の編地を編成すると共に、
前記トメ編成ステップでは、トメの編目列を抜糸の編目列に続けてのみ編成する、ことを特徴とする請求項１または２の横編機での編出し方法。
【発明の詳細な説明】
【技術分野】
【０００１】
この発明は横編機での編出し方法に関し、特に抜糸を容易に抜くことができる編出し方法に関する。
【背景技術】
【０００２】
特許文献１（特許2529640）から編出しに関する要点を抜粋し、図４に示す。ステップ１で抜糸の編目列を編成し、ステップ２でトメの編目列を編成する。この時、トメの編目列の半数は掛目である。そしてステップ３，４で袋回しを行う。袋回しに続いて、裾ゴム等を編成し、本編地を編成する。本編地の編成完了後に抜糸を抜くと、本編地と捨編地とを分離できる。なお抜糸による編成は、捨編地と本編地とを分離するため、及び成型編等で本編地と本編地とを分離するため等に用いる。また成型編みでの本編地は、１枚のガーメントあるいは１個のパーツ等から成る。
【０００３】
ここで編出しに関する用語を説明する。抜糸は編成後に編地から引き抜かれる糸で、抜糸コースは抜糸により編目列を編成するコースをいう。また編成の開始時に用いられ、抜糸を抜くことにより、本編地から分離して捨てられる編地を捨編地といい、捨編地に用いる糸を捨糸という。本編地に用いられる糸を編糸といい、これは抜糸、捨糸との対比語である。なお本編地から分離した編地が、それ自体ニット製品でもあり、捨てないことがある。このような編地と捨て編地の双方を、先の編地という。トメは編地の解れ止めに由来する用語で、本編地の編出し部である。トメの編目列は例えば前後双方の針床にリブ状に配置され、トメの編目列に続けて袋状の編成が行われ、この編成を袋回しという。そしてセーター等の場合、袋回しの次にリブ編みを行い、裾ゴムが編成される。ニット製品では編出しの編目（トメの編目）を詰めることが好ましい。トメの編目を詰めないと、ニット製品の裾が広がってしまうためである。
【０００４】
編成に関する用語を説明する。前後の対向する針床の間のスペースを歯口と呼び、編地は歯口に有る。また主として前ベッドで編成する編地を前編地とし、主として後ベッドで編成する編地を後編地とする。前編地に対して、前ベッドで形成した編目を表目、後ベッドで形成した編目を裏目という。後編地に対して、後ベッドで形成した編目を表目、前ベッドで形成した編目を裏目という。
【先行技術文献】
【特許文献】
【０００５】
【特許文献１】特許2529640
【発明の概要】
【発明が解決しようとする課題】
【０００６】
編出しには２つの問題がある。第１の問題は、抜糸を編地から抜くことが難しいことである。このことは、ゲージ（１インチ当たりの針の数）が細かいほど問題になり、またトメの編目を詰める程、即ち小さな編目とする程、問題になる。なお編目を詰めるとは、小さな編目を密に配列することで、同じゲージでも詰めた編目と詰めない編目とがある。
【０００７】
第２の問題は、前後のベッド間の間隔、即ち歯口の幅が広い横編機を用い、さらにトメの編目が掛目を伴うと、トメの編目を詰めることが難しくなることである。このような横編機は、筒状編地を無縫製で編成することに適している。例えば特許文献１（特許2529640）では、トメの編目の半数を掛目により編成している。袋回しではトメの編目を前後が対向するベッドに目移しするが、この時、渡り糸に糸長が取られる。掛目は糸長が短く、渡り糸の糸長は大半が編目ループから取られるので、編目ループが小さくなる。このため適切なサイズよりも編目ループを大きくしなければならず、トメの目を詰めることが難しくなる。そこで弾性糸（弾性変形できる範囲が広い糸）と通常の編糸とを引き揃えて、トメの編目列を編成すると、トメの編目を詰めなくても、編出し部が広がりにくくなる。しかしこの結果、トメの編目に用いる糸の種類が限定される。例えばカシミヤは弾性糸にならないので、100%カシミヤの編地を編成するのではなく、弾性糸をトメの編目に含み、他をカシミヤで編成した編地となる。
【０００８】
この発明の課題は、抜糸を簡単に抜ける編出し方法を提供することにある。
【課題を解決するための手段】
【０００９】
この発明は、少なくとも前後２枚の針床が歯口を挟むように対向している横編機上で、抜糸の編目列に続いてトメの編目列を編成する編出し方法において、
先の編地を編成するステップと、
抜糸の編目列を編成する抜糸編成ステップと、
抜糸の編目列を歯口を挟んで対向する側の針床へ目移しするステップと、
抜糸の編目列に続けて、抜糸とは異なる糸によりトメの編目列を編成するトメ編成ステップと、
トメの編目列に続けて本編地を編成するステップ、
とを行い、  
目移しした抜糸の編目列に続けてトメの編目列を編成することにより、抜糸の編目とトメの編目とで編目の表裏を逆にし、抜糸を引くと、トメの編目と先の編地の編目との間で、抜糸が直線状になるようにする、ことを特徴とする。
【００１０】
抜糸の編目列を目移しした後に、抜糸の編目列に続けてトメの編目列を編成すると、抜糸の編目とトメの編目は、表裏が逆になる。編成完了後に抜糸を引くと、トメの編目と先の編地の編目との間で、抜糸が直線状になり、簡単に抜糸を抜くことができる。
【００１１】
前記抜糸編成ステップでは、抜糸の編目列をスムース編みにより編成する。なおスムース編みとは、１コースの編目列を、複数コースに分けて、編目の形成位置を変えながら編成することである。すると抜糸１本当たりの摩擦が小さくなるので、抜糸を抜きやすくなる。
【００１２】
好ましくは、筒状の編地を編成すると共に、前記トメ編成ステップでは、トメの編目列を、掛目を作らずに、抜糸の編目列に続けて編成する。筒状の編地を編成する場合、一般に、４枚の針床を備える横編機が用いられる。この横編機では、前後の針床間の間隔が、２枚の針床の横編機に比べて広いため、掛目を詰めることが難しい。そこでトメの編目と同数の抜糸の編目列を編成すると、掛目無しでトメの編目列を編成でき、トメの編目を詰めて見栄えの良い編出し部を編成できる。
【図面の簡単な説明】
【００１３】
【図１】実施例１での編出し部付近の編目の配置を示し、特に捨編の編目と、抜糸の編目、及びトメの編目を示す。
【図２】従来例での編出し部付近の編目の配置を示し、特に捨編の編目と、抜糸の編目、及びトメの編目を示す。
【図３】実施例１の編出し方法を示す。
【図４】従来例の編出し方法を示し、トメの編目の編成に掛目を用いることを示す。
【図５】実施例２の編出し方法を示す。
【図６】実施例３の編出し方法を示す。
【図７】実施例４の編出し方法を示す。
【発明を実施するための形態】
【００１４】
以下にこの発明を実施するための実施例を示す。
【実施例】
【００１５】
図１は実施例１の編出し方法による編目配置を、図２は従来例の編出し方法による編目配置を示す。１０は捨糸、２０は抜糸、３０は編糸で、１１は捨糸の編目、２１，２２は抜糸の編目、３１はトメの編目である。図の下部は抜糸２０を引く前の状態を、上部は抜糸２０を引いているときの状態を示し、４１，４２は糸１０，２０，３０の係合部である。実施例１では、抜糸の編目列を編成後に目移しすることにより、抜糸の編目とトメの編目との表裏を逆にする。
【００１６】
実施例１では、抜糸２０の編目２１は裏目、トメの編目３１は表目で、編目２１，３１で編目の種類が表裏逆である。なお捨糸１０の編目１１の表裏は重要ではない。実施例で、抜糸２０を引くと、係合部４１では、抜糸２０が直線状になり、抜糸２０を容易に抜くことができる。これに対して従来例では、抜糸２０の編目２２もトメの編目３１も表目で、編目２２，３１で編目の種類が表裏同じである。この状態から抜糸２０を引くと、係合部４２では、抜糸２０の編目２２が、直線状にならず、捨糸１０及び編糸３０と絡まるため、抜糸２０を抜くことが難しい。
【００１７】
図１の編地に従って、抜糸編成から袋回しまでを行う基本的な編成方法を図３に示す。以下の各図で、編成は図の下から上への順とし、図３のステップ1)で、捨編部の編成に続けて、例えば前ベッドFで抜糸の編目列を１コース編成し、ステップ2)で抜糸の編目列を後ベッドBへ目移しし、ステップ3)でトメの編目列を後ベッドで編成する。ステップ2)で抜糸の編目列を目移ししたので、トメの編目は抜糸の編目と表裏が逆になる。即ち、抜糸の編目が表目であれば、トメの編目は裏目となり、抜糸の編目が裏目であれば、トメの編目は表目となる。袋回しに備え、ステップ4)で、トメの編目列を１目置きに目移しすることによりリブ状の編目配置とし、ステップ5)，6)で袋状の編成から成る袋回しを行う。抜糸の編目とトメの編目は表裏が逆なので、図１の編目配置となり、抜糸を抜きやすい。またトメの編目は、掛目を含まないので、目を詰めやすい。以上のことを整理すると、以下のようになる。
・  抜糸の編目列とトメの編目列とを歯口を挟んで対向する側の針床で編成すると、これらの編目の表裏が逆になる。そしてこのためには、抜糸の編目列を前後の針床間で目移しした後に、抜糸の編目列に続けてトメの編目列を編成すればよい。
・  抜糸の編目とトメの編目とを同数にすると、トメの編目列を掛目無しで編成できる。
【００１８】
なお抜糸の編成前に、捨編地等の先の編地を編成し、袋回しの後に本編地を編成し、本編地の編成後に抜糸を抜いて、本編地と先の編地を分離する。
【００１９】
図５は、抜糸の抜きやすさを改良した実施例２を示し、抜糸の編目列の編成後に目移しし、トメの編目と表裏を逆にし、トメの編成に掛目を用いる。図３との相違は、抜糸の編目がトメの編目の半数なので、ステップ3)でトメの編目列を編成する際に、掛目を用いる点にある。
【００２０】
図６は筒状編地の編成のための実施例３を示し、抜糸の編目とトメの編目とを表裏逆にし、抜糸を抜きやすくすること、掛目を含まないようにトメの編目列を編成すること、及び編目列を半数ずつ目移しすることにより目移しを容易にすることを示す。後下ベッドBD、後上ベッドBU、前下ベッドFD、前上ベッドFUの４枚ベッドを備える横編機を用いる。４枚のベッドを備える横編機では、前後の針床間のギャップが広くなり、掛目を詰めて編成することが難しい。そこでトメの編目が掛目を含まないようにする。目移しは、後下ベッドBDと、前下ベッドFDまたは前上ベッドFU間で可能で、また前下ベッドFDと、後下ベッドBDまたは後上ベッドBU間でも可能である。なお２枚ベッドの横編機で実施例３を実行するには、図６の上下の後ベッドBD，BUを１枚のベッドと見なして、後ベッドBD，BUの針が、１枚の後ベッドBに１目置きに交互に配置されていると解釈すると良い。同様に、上下の前ベッドFD，FUを１枚のベッドと見なして、前ベッドFD，FUの針が、１枚の前ベッドFに１目置きに交互に配置されていると解釈すると良い。
【００２１】
ステップ1)で捨編の編目列を前後１コースずつ編成し、ステップ2)−5)で抜糸の編目列を２回に分けて編成する。この時、捨糸の編目列を後下ベッドBDから前上ベッドFUへ半数ずつ目移しした後に、抜糸の編目列を前上ベッドFUで編成する。ステップ6)で、抜糸の編目列を後下ベッドBDへ目移しする。同様の抜糸編成をステップ7)−11)で行い、前下ベッドFDと後下ベッドBDとに１コースずつ抜糸の編目列を編成する。抜糸の編目は、捨糸の編目の目移し後に編成され、裏目である。ステップ12),13)で、トメの編目列を後下ベッドBDと前下ベッドFDとに１コースずつ筒状に編成する。抜糸の編目とは歯口を挟んで前後に対向するベッドで編成するので、トメの編目は表目である。ステップ2)−11)で、抜糸の編目は裏目、トメの編目は表目となり、トメの編目と抜糸の編目は表裏が逆になる。袋回しでは、例えば後下ベッドBDのトメの編目の半数を前上ベッドFUへ目移しして、袋回しを行う。また同様に、前下ベッドFDのトメの編目の半数を後上ベッドBUへ目移しして、袋回しを行う。実施例３では、捨糸の編目とトメの編目は表裏が逆なので、図１の編目の配置となり、抜糸を抜きやすく、トメの編目は掛目を含まないので、本編地の編出し部となるトメの編目列を詰めることができる。
【００２２】
図６の編成を変更し、ステップ2)，4)を１ステップにまとめ、後下ベッドBDの編目列を１回で前上ベッドFUへ目移しし、ステップ3)，5)を１ステップにまとめて抜糸の編目列を１回で編成しても良い。また同様に、ステップ7)，9)を１ステップにまとめて、前下ベッドFDの編目列を１回で後上ベッドBUへ目移しし、ステップ8)，10)を１ステップにまとめて抜糸の編目列を１回で編成しても良い。しかしこのようにすると、多数の編目列を残さず一括して上ベッドFU，BUへ目移しすることになる。すると端部の抜糸に過大なテンションが加わる。このため捨糸の編目の目移しと、抜糸の編目の編成を２回に分けて行うことが好ましい。さらに抜糸の編目の編成を２回に分けて行うこと、抜糸を抜く回数は２倍になるが、抜糸と本編地との摩擦が１／２になるので、抜きやすい。
【００２３】
なおステップ1)を抜糸の編成とし、ステップ2)−11)をトメの編成とし、ステップ12)を省略しても良い。すると抜糸の編目は表目、トメの編目は裏目となり、抜糸の編目とトメの編目は表裏が逆になる。抜糸の編目とトメの編目とを、歯口を挟んで対向する側の針床で編成すると、抜糸の編目とトメの編目とで表裏が逆になる。また抜糸の編目とトメの編目列を同数とすると、掛目は不要になる。これらのことは他の実施例でも共通である。
【００２４】
図７は実施例４を示し、抜糸の編目を交互に表目と裏目とにすることにより、編成効率を重視しながら抜糸を抜きやすくすることを示す。図７のステップ1)で捨編を行い、ステップ2)−6)で抜糸編成し、ステップ7)でトメの編目列を編成し、ステップ8)で袋回しに備え目移しする。図７は、図６の実施例３でのステップ1)−13)を、ステップ1)−7)へと単純化し、編成効率を増したものである。またステップ8)では、袋回しに備えて、後下ベッドBDの編目の半数を前上ベッドFUへ目移しする。ステップ8)に続いて、後下ベッドBDと前上ベッドFUとで袋回しの編成を行い、前下ベッドFDのトメの編目も同様の目移しをした後に、袋回しを行う。
【００２５】
図７の実施例では、抜糸の編目の半数は、捨糸の編目の目移し無しで編成されて、表目となり、残る半数は、捨糸の編目の目移し後に編成されて、裏目となる。これに対してトメの編目は全数表目である。このため抜糸の編目の半数は図１の状態となり、抜きやすい。残る半数は図２の状態となるが、編目の数が少ないので、全数を図２の状態とする場合よりは、抜きやすい。またトメの編目は掛目を含まないので、トメの編目を詰めることができる。
【００２６】
実施例には以下の特徴がある。
1)  抜糸の編目とトメの編目との表裏を逆にすることにより、抜糸を簡単に抜くことができる。このために、抜糸の編目列を歯口を挟んで対向する側の針床へ目移しした後に、トメの編目列を編成する。
2)  トメの編目と同数の抜糸の編目列を編成すると、トメの編目が掛目を含まないようにできる。このため本編地の編出し部であるトメの編目を詰めることができる。
3)  抜糸の編目列を複数回、例えば２回に分けて編成すると、抜糸を抜く回数が例えば２倍になるが、本編地と抜糸との摩擦が減少し抜きやすくなる。
【００２７】
なおスムース編みは、筒状編地の編成（図６，図７）に限らず、平編地の編成にも適用できる。
【符号の説明】
【００２８】
１０        捨糸
１１        捨糸の編目
２０        抜糸
２１，２２  抜糸の編目  
３０        編糸
３１        トメの編目
４１，４２  係合部
B           後ベッド
F           前ベッド    
BD          後下ベッド
BU          後上ベッド
FD          前下ベッド    
FU          前上ベッド      
【図１】
2015063765.tif 000003
【図２】
2015063765.tif 000004
【図３】
2015063765.tif 000005
【図４】
2015063765.tif 000006
【図５】
2015063765.tif 000007
【図６】
2015063765.tif 000008
【図７】
2015063765.tif 000009